(57)【要約】【課題】複数枚のシート状体の乾燥食品を同時に、且つ、食品同士が接着することなく簡単に復元することのできる復元用器材及び乾燥食品が収納されている袋に水を注入して乾燥食品を簡単に復元させることができる、乾燥食品復元用器材及び乾燥食品用保存包装袋を提供することである。【解決手段】フィルムからなる上部にファスナーを取り付けた袋状体の内部に、折り目にて二つ折りにしたプラスチックフィルム或は、複数枚のプラスチックフィルムを重ね合わせ、片端縁又は両端縁又は周縁を熱接着、ハトメ又は結束具などを用いた方法で冊子状体又は筒状体又は袋状体とした復元用器材を挿入した構成の乾燥食品復元用器材及び乾燥食品用保存包装袋である。【選択図】図５
2008168940.tif 000002
【特許請求の範囲】
【請求項１】
フィルムからなり周縁が熱接着部により密閉された袋状体の内部に複数枚のフィルムの片端縁を熱接着、ハトメ又は結束具などを用いた方法で重ね合わせ冊子状体とした、フィルムを挿入し、上記袋状体と上記袋状体内部に挿入する、乾燥食品復元用器材及び乾燥食品用保存包装袋。
【請求項２】
フィルムからなり周縁が熱接着部により密閉された袋状体の内部に複数枚のフィルムの両端縁を熱接着、ハトメ又は結束具などを用いた方法で重ね合わせ筒状体とした、フィルムを挿入し、上記袋状体と上記袋状体内部に挿入する、乾燥食品復元用器材及び乾燥食品用保存包装袋。
【請求項３】
フィルムからなり周縁が熱接着部により密閉された袋状体の内部に複数枚のフィルムの周縁を熱接着、ハトメ又は結束具などを用いた方法で重ね合わせ袋状体とした、フィルムを挿入し、上記袋状体と上記袋状体内部に挿入する、乾燥食品復元用器材及び乾燥食品用保存包装袋。
【請求項４】
フィルムからなり周縁が熱接着部により密閉された袋状体の内部に折り目にて二つ折りにしたフィルムを挿入し、上記袋状体と上記袋状体内部に挿入する、乾燥食品復元用器材及び乾燥食品用保存包装袋。
【請求項５】
フィルムからなり周縁が熱接着部により密閉された袋状体の内部に複数の穴をあけ、折り目にて二つ折りにされたフィルムを挿入し、上記袋状体と上記袋状体内部に挿入する、乾燥食品復元用器材及び乾燥食品用保存包装袋。
【請求項６】
フィルムからなり周縁が熱接着部により密閉された袋状体の内部に複数の凹凸加工を施し、折り目にて二つ折りにされたフィルムを挿入し、上記袋状体と上記袋状体内部に挿入する、乾燥食品復元用器材及び乾燥食品用保存包装袋。
【請求項７】
フィルムからなり周縁が熱接着部により密閉された袋状体の内部に、複数の凹凸加工及び穴をあけ、折り目にて二つ折りにされたフィルムを挿入し、上記袋状体と上記袋状体内部に挿入する、乾燥食品復元用器材及び乾燥食品用保存包装袋。
【請求項８】
フィルムからなり周縁が熱接着部により密閉された袋状体の内部に、複数の穴をあけたフィルムを複数枚重ね合わせ、片端縁又は両端縁及び周縁を熱接着及びハトメ又は結束具などを用いた方法で冊子状体、筒状体又は袋状体に重ね合わせたものを挿入し、上記袋状体と上記袋状体内部に挿入する、乾燥食品復元用器材及び乾燥食品用保存包装袋。
【請求項９】
フィルムからなり周縁が熱接着部により密閉された袋状体の内部に、複数の凹凸加工を施したフィルムを複数枚重ね合わせ、片端縁又は両端縁又は周縁を熱接着、ハトメ又は結束具などを用いた方法で冊子状体、筒状体又は袋状体に重ね合わせたものを挿入し、上記袋状体と上記袋状体内部に挿入する、乾燥食品復元用器材及び乾燥食品用保存包装袋。
【請求項１０】
フィルムからなり周縁が熱接着部により密閉された袋状体に、複数の凹凸加工及び穴をあけたフィルムを複数枚重ね合わせ、片端縁又は両端縁又は周縁を熱接着、ハトメ又は結束具などを用いた方法で冊子状体、筒状体又は袋状体に重ね合わせたものを挿入し、上記袋状体と上記袋状体内部に挿入する、乾燥食品復元用器材及び乾燥食品用保存包装袋。
【発明の詳細な説明】
【技術分野】
【０００１】  本発明は複数枚のシート状体の乾燥食品を複数枚同時に復元させるのに使用する為の、乾燥食品復元用器材及び内部に収納されているシート状体の乾燥食品を複数枚同時に、容易に復元できる事ができるとともにシート状体の乾燥食品を復元させる器材及び容器として繰り返し使用できる乾燥食品復元用器材及び乾燥食品用保存包装袋に関する。
【背景技術】
【０００２】  従来、シート状体の乾燥食品を復元させる方法としては、水又はお湯を入れた容器にシート状体の乾燥食品を一定時間放置し、シート状体の乾燥食品を復元させた後に、ザル等に揚げて、水を切る方法が一般的であるが、この方法では容器とザル等が必要であり、使用する器具および操作性の点で問題があった。また、復元した食品の保存方法については、復元した食品を直接重ねて保存するとその食品同士が接着する恐れがある為、ザルなどの器材で１枚ずつ丁寧に仕切って保存する必要があり、作業性にも問題があった。
【発明の開示】
【発明が解決しようとする課題】
【０００３】  本発明の目的は複数枚のシート状体の乾燥食品を同時に簡単に復元することのできる復元用器材及び乾燥食品が収納されている包装袋を開封し内部に水を注入し一定時間放置して余分な水を排出する事により複数枚のシート状体の乾燥食品を同時に復元した後、同じ食品同士が接着しない容器として繰り返し使用することができる、乾燥食品復元用器材及び乾燥食品用保存包装袋を提供することである。
【課題を解決するための手段】
【０００４】  フィルムからなり周縁が熱接着部により密閉された包装袋の上部にファスナーを取り付けるとともに前記上部ファスナーの上部に開口予定部を設け、乾燥食品用保存包装袋とし、折り目にて二つ折りにしたフィルム、重ね合わせた複数枚のフィルムの片端縁又は両端縁及び周縁を熱接着、ハトメ又は結束具などを用いた方法で冊子状体又は筒状体又は袋状体を形成し、復元用器材とし、前記復元用器材に、乾燥食品同士が干渉しないように１枚ずつシート状体の乾燥食品を挿み、上記乾燥食品用保存包装袋の内部に収納して密封した包装体とし、使用時に、上部開口予定部にて開封し、水を注入し上部ファスナーを閉じ一定時間放置して、乾燥食品を復元した後に、上部ファスナーを開いて上記包装袋内部の水を排出することにより、復元した複数枚の同じ食品同士が接着することなく、複数枚の乾燥食品を簡単に同時に復元することが出来る。また、復元した食品を必要量だけ使用した場合や、復元しただけで使用しなかった場合は、上記乾燥食品復元用器材内に残った食品は上記乾燥食品用保存包装袋に再挿入すれば、冷蔵保存又は冷凍保存など長期間の保存が容易にできるし、繰り返し使用できる。
【発明の効果】
【０００５】  本発明の乾燥食品復元用器材及び乾燥食品用保存包装袋とすることにより、嵩をとらず軽量であり、使用時には上部ファスナーを開け乾燥食品復元用器材内部に乾燥食品を入れた後、乾燥食品用保存包装袋に挿入して、全体が浸みるように水又はお湯を注入し上部ファスナーを閉じ一定時間放置して乾燥食品を復元させる。次に乾燥食品の復元が完了した時点で上部ファスナーを開き乾燥食品用包装袋内の余分な水又はお湯を排出させることにより、簡単に乾燥食品が復元できる。復元させた乾燥食品は上部ファスナーを開いて、乾燥食品復元用器材ごと、簡単に取り出すことができる。また、復元した食品を必要量だけ乾燥食品復元用器材から取り出した場合や、復元しただけで使用しなかった場合、乾燥食品復元用器材内に残った食品は乾燥食品用保存包装袋に再挿入すれば、冷蔵保存又は冷凍保存など長期間の保存が容易にできるし、繰り返し使用でき、保存にもきわめて便利でかつ経済的である。【０００６】  本発明の、構成の乾燥食品復元用器材及び乾燥食品用保存包装袋とすることにより、乾燥食品復元用器材及び乾燥食品用保存包装袋の内部に乾燥食品を収納して密封した包装体とし、使用時に上部開口予定部に沿って乾燥食品用保存包装袋を切り取って乾燥食品用保存包装袋の上部を開封し、上部ファスナーを開いて乾燥食品用保存包装袋内に水又はお湯を注入し上部ファスナーを閉じ一定時間放置して乾燥食品を復元させる。次に乾燥食品の復元が完了した時点で上部ファスナーを開き包装袋内の余分な水又はお湯を排出させることにより、簡単に乾燥食品が復元できる。復元させた乾燥食品は上部ファスナーを開いて、乾燥食品復元用器材ごと、簡単に取り出すことができる。また、復元した食品を必要量だけ乾燥食品復元用器材から取り出した場合や、復元しただけで使用しなかった場合、乾燥食品復元用器材内に残った食品は乾燥食品用保存包装袋に再挿入すれば、冷蔵保存又は冷凍保存など長期間の保存が容易にできるし、繰り返し使用でき、保存にもきわめて便利でかつ経済的である。
【発明を実施するための最良の形態】
【０００７】  以下、図面を用いて本発明の実施の形態の説明をする。
図１は本発明の乾燥食品用保存包装袋の実態形態を示す平面図、図２は図１におけるＩ−Ｉ断面図、図３は本発明の乾燥食品復元用器材の実態形態を示す平面図、図４（ａ）（ｂ）は図３におけるＩＩ−ＩＩ断面図、図５は本発明の図１乾燥食品用保存包装袋に図３乾燥食品復元用器材を挿入した実態形態を示す平面図、図６は図５におけるＩＩＩ−ＩＩＩ断面図であり、１はフィルム、２は側端熱接着部、３は上端熱接着部、４は下端熱接着部、５は上部ファスナー、６は上部開口予定部、７は切欠、８は二つ折り部、をそれぞれ表す。【０００８】  本発明の乾燥食品用保存包装袋の実施形態は、平面図が図１に包装袋の縦方向の断面が図２にそれぞれ示されるとおりである。平面形状は図１に示すように、長方形状の表裏２枚のフィルム１、１からなり、両側縁端が側端熱接着部２、２により熱接着されまた、下端熱接着部４，４により熱接着された袋状の上部に上部ファスナー５、５を取り付け上端接着部３，３により熱接着され、上部開口予定部６、６を設けた密閉包装袋である。【０００９】  本発明の乾燥食品復元用器材の実施形態は平面図が図３に乾燥食品復元用器材の縦方向断面が図４（ａ）にそれぞれ示されているとおりである。平面形状は複数枚のフィルム１，１からなる基材で片端縁又は両端縁及び周縁を熱接着及びリベット又は結束具などを用いた方法で重ね合わせ、冊子状体又は筒状体又は袋状体に構成されている。【００１０】  本発明の乾燥食品復元用器材の実施形態は平面図が図３に乾燥食品復元用器材の縦方向断面が図４（ｂ）にそれぞれ示されているとおりである。フィルム１，１からなる基材で平面形状は折り目にて二つ折りした形状に構成されている。【００１１】  本発明の乾燥食品復元用器材及び乾燥食品用保存包装袋の使用方法は、先ず、上部ファスナーを開き、復元用器材に乾燥食品同士が干渉しないように１枚ずつシート状体の乾燥食品を挿み乾燥食品用保存包装袋に入れて乾燥食品の全体が浸みるように水又はお湯を注入し上部ファスナーを閉じ一定時間放置して乾燥食品を復元させる。次に乾燥食品の復元が完了した時点で上部ファスナーを開き乾燥食品用包装袋内の余分な水又はお湯を排出させることにより、簡単に複数枚の乾燥食品が復元できる。復元させた乾燥食品は上部ファスナーを開いて、乾燥食品復元用器材ごと、簡単に取り出すことができる。また、復元した食品を必要量だけ乾燥食品復元用器材から取り出した場合や、復元しただけで使用しなかった場合、乾燥食品復元用器材内に残った食品は乾燥食品用保存包装袋に再挿入すれば、冷蔵保存又は冷凍保存など長期間の保存が容易にできるし、繰り返し使用でき、保存にもきわめて便利でかつ経済的である。【０００１２】  本発明の、乾燥食品復元用器材及び乾燥食品用保存包装袋は、保存包装袋図１に乾燥食品が収納された、復元用器材図３が収納されて乾燥食品包装体図５とされるものである。本発明の乾燥食品復元用器材及び乾燥食品用保存包装袋を使用した包装体は、先ず、切欠７の箇所から上部開口予定部６に沿って乾燥食品用保存包装袋を切り取って乾燥食品用保存包装袋の上部を開封し、上部ファスナー５を開いて乾燥食品用保存包装袋内に水又はお湯を注入し上部ファスナーを閉じ一定��間放置して乾燥食品を復元させる。次に乾燥食品の復元が完了した時点で上部ファスナーを開き乾燥食品用包装袋内の余分な水又はお湯を排出させることにより、簡単に乾燥食品が復元できる。復元させた乾燥食品は上部ファスナーを開いて、乾燥食品復元用器材ごと、簡単に取り出すことができる。また、復元した食品を必要量だけ乾燥食品復元用器材から取り出した場合や、復元しただけで使用しなかった場合、乾燥食品復元用器材内に残った食品は乾燥食品用保存包装袋に再挿入すれば、冷蔵保存又は冷凍保存など長期間の保存が容易にできるし、繰り返し使用でき、保存にもきわめて便利でかつ経済的である。【００１３】  フィルムからなる、乾燥食品復元用器材図３を形成する為の熱接着、ハトメ又は結束具などを用いた方法で重ね合わせた、基材としては、熱接着性不織布、細孔を形成した熱接着性プラスチックフィルム等が使用できる。が、熱接着性を有するものであれば、特に限定されるものではない。また、乾燥食品復元用器材から、復元したシート状体の乾燥食品を取り出す時の操作性を向上させる為には、材樹脂製ネットや貫通する多数の細孔を形成した構成のもの等が使用できる。孔形状を円とした場合直径は１．０ｍｍ〜６．０ｍｍが必要であり、３．０ｍｍ〜５．０ｍｍがより好ましい。開口率としては、１５％〜４０％とすることが、必要であり２０％〜３５％で良好な操作性、作業性が得られる。また、凹凸加工を形成した構成のもの或は、孔形状と凹凸加工を組み合わせた形状の構成のもの等も使用できる。【００１４】  実施形態の乾燥食品復元用器材及び乾燥食品用保存包装袋を構成するフィルム１としては、基材層と熱接着性樹脂層が積層された構成、もしくは、基材層と中間層と熱接着性樹脂層が積層された構成の積層体が使用できる。が、熱接着性を有する材質であれば、特に限定されるものではない。
【図面の簡単な説明】
【００１５】
【図１】本発明の乾燥食品用保存包装袋の実施形態を示す平面図。
【図２】図１におけるＩ−Ｉ断面図。
【図３】本発明の乾燥食品復元用器材の実態形態を示す平面図。
【図４】図３におけるＩＩ−ＩＩ断面図。
【図５】本発明の図１乾燥食品用保存包装袋に図３乾燥食品復元用器材を挿入した実態形態を示す平面図
【図６】図５におけるＩＩＩ−ＩＩＩ断面図。
【符号の説明】
１  フィルム              ４  下端熱接着部          ７  切欠
２  側端熱接着部          ５  上部ファスナー        ８  二つ折り部
３  上端熱接着部          ６  上部開口予定部
【図１】
2008168940.tif 000003
【図２】
2008168940.tif 000004
【図３】
2008168940.tif 000005
【図４】
2008168940.tif 000006
【図５】
2008168940.tif 000007
【図６】
2008168940.tif 000008